(57)【要約】      （修正有）【課題】捩子式牽引骨格矯正治療機を提供する。【解決手段】うつ伏せの状態で施術を目的とする治療機で、本体A台１の本体A台クッションのウレタンを顔の部分は顔へこみ穴６にし、胸や腹の部分は、うつ伏せになった時に窮屈になったり、きつくならないように、胸・腹へこみ穴７にして、ベルトをベルト固定金具９に取り付け、ベルト通し穴８にベルトを通して上半身をたすきがけで肩、胸、腹を固定し、朝顔形回転捩子棒を回転させ、前後移動ローラーが移動レール上を動き牽引の距離巾で強弱調整し、本体B台のベルトで下半身の腰、脚を固定、回転ペダルを踏み、回転固定金具を解除させ、回転手係り棒を持ち回転軸で回転、回転ペダルの踏んでいた足をはずして、回転枠の４段階に回転する穴に回転固定金具を差込み、回転を固定し、牽引とねじりを入れ骨格や椎体、筋肉、筋などを伸ばした体の状態で押圧や指圧などの施術を行う捩子式牽引骨格矯正治療機である。【選択図】図１
2009136381.tif 000002
【特許請求の範囲】
【請求項１】
手動の朝顔ハンドル付き捩子棒16の回転ハンドルを反時計回りに回し、捩子式で本体A台1を移動レール14のレール上で前後移動ローラー11にて動かす、牽引式であり、従来のワイヤー牽引より簡単で、引きしろが1mm単位で可能であり、牽引の強弱対応ができるので、安全である捩子式牽引骨格矯正治療機。
【請求項２】
ワンタッチゴムベルトの体固定ベルト26により体を固定するが、収縮性がある為、牽引が穏やかであり、強弱の締めが自在である請求項１記載の捩子式牽引骨格矯正治療機。本体A台1は、女性の胸のふくらみと、腹の出具合により窮屈にならないように内部のウレタンを、その形状に刳り加工してレザーを張ってある。たすきがけで肩の部分と腹を固定し、本体B台2は腰や脚の部分を体固定ベルト26で固定する図13のような捩子式牽引骨格矯正治療機。
【請求項３】
うつ伏せの状態で牽引しさらに、ねじりを加えて伸ばした状態で押圧や指圧などの施術を行い、体をほぐし治療することを目的とする、図14のような請求項1，2記載の捩子式牽引骨格矯正治療機
【請求項４】
牽引した状態で、本体B台2が手動で回転軸21を中心に回転枠20で左右に4段階に回転し、腰をねじった状態で固定し、施術をすることができる図15のような請求項１，２，３記載の捩子式牽引骨格矯正治療機。
【請求項５】
手動の朝顔ハンドル付き捩子棒16の回転ハンドルを回して本体A台1を前方向に動かし牽引の強弱で施術し、さらに回転手係り棒18を引き、回転解除ペダル24を踏み、回転軸21を介して回転、固定し体をねじり、さらに施術できる本体B台2を備えた図13、図14、図15のような請求項１，２，３，４記載の捩子式牽引骨格矯正治療機
【発明の詳細な説明】
【技術分野】
【０００１】
本発明は施術を目的とする為で、あくまでもうつ伏せの状態でなくてはならないこと。脊柱の歪みや骨盤の矯正をする為に、押圧や指圧をする施術をするためのものである。又、朝顔ハンドル付き捩子棒16を回して移動レール14上を移動させる、捩子式の牽引であり、牽引の引きしろが1mm単位と自在であるため段階的に牽引の強弱対応ができ、体の状態に合わせた強弱の施術が可能な捩子式牽引骨格矯正治療機である。
【０００２】
ワンタッチゴムベルトの体固定ベルト26により体を固定し、胸、腹部の本体A台1と腰部と脚部の本体B台2との間に牽引の引き巾があり、捩子式で牽引し、骨格の椎体や筋肉、筋などを伸ばし、本体B台2を手動で左右に４段階回転、牽引したまま、ねじりを加え固定し、筋肉や筋や骨格の椎体がさらに伸びた状態で施術することにより、筋や筋肉の緊張がほぐれ、効果の期待ができる捩子式牽引骨格矯正治療機である。
【０００３】
図により説明すると、当機は、本体A1と本体Ｃ台3は朝顔ハンドル付き捩子棒16を取り外して、移動レール14上を動かしてレールからはずして分解、本体B台2と本体D台４は取り外し蝶型ボルト19を取り外して分解、本体C台3と本体D台4は六角ボルト23を取り外して4分解でき、持ち運びが容易で、組み立ても簡単に出来る捩子式牽引骨格矯正治療機である。
【０００４】
牽引に一定の重さのものをぶら下げたりして、引っ張るものだけであった。それにより、押圧や指圧などの施術することはなく、1回の治療で引っ張る、重さも一定のものであり、牽引の強弱対応ができなく、体の筋や筋肉をほぐすなどの治療が出来なかった。
【発明の開示】
【発明が解決しようとする課題】
【０００５】
温めて引っ張るだけで、施術を行わないので、牽引治療後、台から降りると、脊柱に立ったり起きたりする事で、付加体重がかかり、伸びた体の筋や筋肉が緊張したままで、元に戻り骨格の歪みを直す効果に期待ができなかった。
【課題を解決するための手段】
【０００６】
本発明は、胸、腹部の本体A台1と腰部と脚部の本体B台2との間に牽引の引き巾があり、朝顔ハンドル付き捩子棒16を回転させ移動レール14上を前後移動ローラー11により前後に動かし、本体B台2が手動で回転手係り棒18を持って回転解除ペダル24を踏み、回転軸21で左右に回転させ回転枠20の穴に回転解除ペダル24を踏んでいた足をはずして、回転固定金具22を差込み固定する。この15図のように右4段階、左4段階に回転し牽引、ねじりを加え、段階的に牽引や回転によるねじりの強弱の対応が出来、体を固定し体の治療状態に合わせた押圧や指圧の施術をする為に、治療効果がより期待できる捩子式骨格牽引矯正治療機である。
【発明の効果】
【０００７】
朝顔ハンドル付き捩子棒16を回して牽引する、捩子式の牽引であり、ひきしろが1mm単位と自在であり、自動で元に戻ることはなく段階的に、体の状況により、牽引の段階的な操作が可能で、それに合わせた押圧や指圧などの施術が可能である。さらに本体B台2を4段階に回転させ段階的にねじりを加えて骨格などを引き伸ばし施術を行うために従来の治療機より治療効果が期待できる。
【実施例】
【０００８】
本機を使って、施術すると牽引し、ねじった状態で筋や筋肉や骨格の椎体を伸ばした状態で治療するため、体はほぐれてきて、骨と骨の間の椎体がゆっくりもどろうとする余裕があり、ベルトをはずしたまま施術後10分〜20分リラックスしていても牽引の効果は持続できている。背骨が伸びて骨盤が矯正されますので痛みも取れてすっきりとして、ギックリ腰や腰痛の治療効果などに期待ができます。
【０００９】
当機は4分解できる為、持ち運びが容易であり、組み立ても簡単である。本体A台1は朝顔ハンドル付き捩子棒16をはずし、移動レール14上で前に引くことで分解でき、本体B台2は取り外し蝶型ボルト19をはずして上のほうに持ち上げて取りはずし可能で、本体C台3と、本体D台4は六角ボルト23をはずして分解し、４分割に出来る。
【００１０】
長い間、施術上骨格の矯正という必要不可欠なことに対峙し、治療機の試運転を繰り返し、牽引し、ねじり回転させ、押圧や指圧する矯正法などの治療効果を見ながら、そのたびに改良、改善して当機を作り上げた。現在、施術データー結果は非常に良い結果が出ていて、この方法が今までで最良の方向だということに辿りついた。
【発明を実施するための最良の形態】
【００１１】
朝顔ハンドル付き捩子棒16で捩子式で回すから自動で本体A台1が元の位置に戻ることはなく、伸びしろが1mm単位でできるため、無理に引っ張ることがない。最大では250mmぐらい伸ばすこともできる。そのため段階的に牽引し、体をほぐして行き、施術の強さを高めることが出来る。
【００１２】
本体A台１で肩、胸、腹を体固定ベルト26で、たすきがけで固定、牽引したままで、本体B台2で腰部と脚部を体固定ベルト26で固定し、左右4段階に回転、ねじりを加え、体を伸ばしねじった状態の筋や筋肉や骨格が伸びた状態でで施術できる。牽引とねじりを加えて施術することにより、より以上に効果が上がるのが特徴である。
【図面の簡単な説明】
【００１３】
【図１】捩子式牽引骨格矯正治療機の平面図である。
【図２】捩子式牽引骨格矯正治療機の正面図である。
【図３】捩子式牽引骨格矯正治療機の本体Aの平面図である。
【図４】捩子式牽引骨格矯正治療機の本体Aの左側面図である。
【図５】捩子式牽引骨格矯正治療機の本体Aの正面図である。
【図６】捩子式牽引骨格矯正治療機の本体Cの左側面図である。
【図７】捩子式牽引骨格矯正治療機の本体Cの正面図である。
【図８】捩子式牽引骨格矯正治療機の本体Bの平面図である。
【図９】捩子式牽引骨格矯正治療機の本体Bの正面図である。
【図１０】捩子式牽引骨格矯正治療機の本体Bの右側面図である。
【図１１】捩子式牽引骨格矯正治療機の本体Dの正面図である。
【図１２】捩子式牽引骨格矯正治療機の本体Dの右側面図である。
【図１３】捩子式牽引骨格矯正治療機の体固定ベルトを付けた平面図である。
【図１４】捩子式牽引骨格矯正治療機の体のうつぶせ状態の正面図である。
【図１５】捩子式牽引骨格矯正治療機の回転部分の右側面図である。
【符号の説明】
【００１４】
１    本体A台
２    本体B台
３    本体C台
４    本体D台
５    本体A台手係り
６    顔へこみ穴
７    胸・腹へこみ穴
８    ベルト通し穴
９    ベルト固定金具
１０  本体A台クッション
１１  前後移動ローラー
１２  捩子回転タップA型
１３  朝顔ハンドル
１４  移動レール
１５  捩子回転タップB型
１６  朝顔ハンドル付き捩子棒
１７  六角ボルト通し穴
１８  回転手係り棒
１９  取り外し蝶型ボルト(本体B固定)
２０  回転枠
２１  回転軸
２２  回転固定金具
２３  六角ボルト(本体C・D固定)
２４  回転解除ペダル
２５  本体B台クッション
２６  体固定ベルト(ワンタッチゴムベルト)
【図１】
2009136381.tif 000003
【図２】
2009136381.tif 000004
【図３】
2009136381.tif 000005
【図４】
2009136381.tif 000006
【図５】
2009136381.tif 000007
【図６】
2009136381.tif 000008
【図７】
2009136381.tif 000009
【図８】
2009136381.tif 000010
【図９】
2009136381.tif 000011
【図１０】
2009136381.tif 000012
【図１１】
2009136381.tif 000013
【図１２】
2009136381.tif 000014
【図１３】
2009136381.tif 000015
【図１４】
2009136381.tif 000016
【図１５】
2009136381.tif 000017